(57)【要約】      （修正有）【課題】状況に応じて２通りの使用態様が可能で比較的安価なビール注出器セットを提供する。【解決手段】第１の注ぎ口１１及び第１の通気口が形成された収容容器１０と、収容容器に設けられビール缶２に一端部が挿入可能に構成され他端部が注ぎ口１１に臨む注出管３０と、収容容器の上端に着脱可能で、空気加圧装置、通気口に繋がる第２の通気口及びビールを泡立てる超音波発生装置を有し、空気加圧装置及び超音波発生装置を作動制御する制御手段を有するメカボックス４０と、収容容器１０及び注出管３０に代えて使用され、仕切り壁によって上下に区切られ、メカボックス４０の下端に着脱可能でビール缶に冠着可能に構成され、第２の注ぎ口が形成され、メカボックス４０に装着した状態で注ぎ口の壁に超音波発生装置の接触面が当接するように構成されたアダプタ７０と、を備える。【選択図】図１
0003202746.tif 000002
【実用新案登録請求の範囲】
【請求項１】
ビール缶を収容可能に構成され、第１の注ぎ口及び第１の通気口が形成された収容容器と、
前記収容容器に設けられ当該収容容器に収容された前記ビール缶に一端部が挿入可能に構成され他端部が前記第１の注ぎ口に臨む注出管と、
前記収容容器の上端に着脱可能に構成され、前記収容容器内の空気を加圧する空気加圧装置、前記収容容器の上端に装着した状態で前記第１の通気口に繋がる第２の通気口、及び、接触面が前記注出管に上方から当接し当該注出管内を流れるビールを泡立てる超音波発生装置を有するとともに、前記空気加圧装置及び前記超音波発生装置を作動制御する制御手段を有するメカボックスと、
前記収容容器及び前記注出管に代えて使用され、仕切り壁によって上下に区切られ、上部が前記メカボックスの下端に着脱可能に構成されるとともに下部が前記ビール缶に冠着可能に構成され、さらに、前記下部に連通し上壁が前記上部に臨み第２の注ぎ口に連通する注出路が形成され、前記メカボックスに装着した状態で前記上壁に前記超音波発生装置の前記接触面が当接するように構成されているアダプタと、
を備えることを特徴とするビール注出器セット。
【請求項２】
前記注出管は前記収容容器に対して着脱可能に構成されていることを特徴とする請求項１に記載のビール注出器セット。
【請求項３】
前記メカボックスには１つの操作子が設けられ、前記制御部は、前記操作子の操作態様に応じて、前記空気加圧装置を作動させる第１のモードと、前記空気加圧装置及び前記超音波発生装置の双方を作動させる第２のモードとを取ることを特徴とする請求項１又は請求項２に記載のビール注出器セット。
【請求項４】
前記アダプタの前記仕切り壁には前記上部と前記下部とを連通する通気孔が形成されていることを特徴とする請求項１から請求項３いずれか一項に記載のビール注出器セット。
【考案の詳細な説明】
【技術分野】
【０００１】
本考案は、状況に応じて２通りの使用態様が可能なビール注出器セットに関する。
【背景技術】
【０００２】
従来、ビール注出器として、据え置き型のビール注出器と手持ち型のビール注出器とが知られている（特許文献１，２）。据え置き型のビール注出器は、ビール缶を装着し、ビール缶内に加圧空気を送り込み、注出管を介してビールを注出するとともに、発泡手段により抽出したビールの上に泡を付加するように構成されている。一方、手持ち型のビール注出器は、ビール注出器にビール缶を直接的に装着し、ビール缶を傾けてビールを注ぎ、発泡手段により抽出したビールの上に泡を付加するように構成されている。
ここで、据え置き型のビール注出器は手持ち型のビール注出器に比べて大型ではあるが、取扱いが簡易であり、操作子の操作により実際のビールサーバー感覚での使用が可能である。
【先行技術文献】
【特許文献】
【０００３】
【特許文献１】特開２０１５−１１３１６６号公報
【特許文献２】特開２０１２−１４４２５８号公報
【考案の概要】
【考案が解決しようとする課題】
【０００４】
ところで、今までのビール注出器は１つの使用態様しか取れなかった。そのため、家の内外で使用する場合には、据え置き型のビール注出器を持って外でも使用するか、手持ち型のビール注出器を家の中でも使用するか、或いは、据え置き型のビール注出器と手持ち型のビール注出器との双方を用意する他はなかった。
この場合、据え置き型のビール注出器を持って外でも使用するとすれば、据え置き型のビール注出器は比較的大型なので、持ち運びが面倒である。一方、手持ち型のビール注出器を家の中でも使用するとすれば、手持ち型のビール注出器は手で注ぐ構造となっているので、本格的なビールサーバーとは異なり、物足りないという問題があった。さらに、据え置き型のビール注出器と手持ち型のビール注出器との双方を用意するとすれば、費用が嵩むという問題があった。
本考案は、状況に応じて２通りの使用態様が可能で比較的安価なビール注出器セットを提供することを目的とする。
【課題を解決するための手段】
【０００５】
請求項１に記載のビール注出器セットは、
ビール缶を収容可能に構成され、第１の注ぎ口及び第１の通気口が形成された収容容器と、
前記収容容器に設けられ当該収容容器に収容された前記ビール缶に一端部が挿入可能に構成され他端部が前記第１の注ぎ口に臨む注出管と、
前記収容容器の上端に着脱可能に構成され、前記収容容器内の空気を加圧する空気加圧装置、前記収容容器の上端に装着した状態で前記第１の通気口に繋がる第２の通気口、及び、接触面が前記注出管に上方から当接し当該注出管内を流れるビールを泡立てる超音波発生装置を有するとともに、前記空気加圧装置及び前記超音波発生装置を作動制御する制御手段を有するメカボックスと、
前記収容容器及び前記注出管に代えて使用され、仕切り壁によって上下に区切られ、上部が前記メカボックスの下端に着脱可能に構成されるとともに下部が前記ビール缶に冠着可能に構成され、さらに、前記下部に連通し上壁が前記上部に臨み第２の注ぎ口に連通する注出路が形成され、前記メカボックスに装着した状態で前記上壁に前記超音波発生装置の前記接触面が当接するように構成されているアダプタと、
を備えることを特徴とする。
【０００６】
請求項２に記載のビール注出器セットは、請求項１に記載のビール注出器セットであって、前記注出管は前記収容容器に対して着脱可能に構成されていることを特徴とする。
【０００７】
請求項３に記載のビール注出器セットは、請求項１又は請求項２に記載のビール注出器セットであって、前記メカボックスには１つの操作子が設けられ、前記制御部は、前記操作子の操作態様に応じて、前記空気加圧装置を作動させる第１のモードと、前記空気加圧装置及び前記超音波発生装置の双方を作動させる第２のモードとを取ることを特徴とする。
【０００８】
請求項４に記載のビール注出器セットは、請求項１から請求項３いずれか一項に記載のビール注出器セットであって、前記アダプタの前記仕切り壁には前記上部と前記下部とを連通する通気孔が形成されていることを特徴とする。
【考案の効果】
【０００９】
請求項１に記載のビール注出器セットによれば、状況に応じて２通りの使用態様が可能となる。１つ目は、２つのビール入りのビール缶を収容容器にセットし、メカボックスを収容容器に装着する第１の使用態様であり、２つ目は、メカボックスにアダプタを装着しアダプタをビール入りのビール缶に冠着させる第２の使用態様である。このように１つのメカボックスを２通りの使用態様で共通して使用することができるので、全体として安価なビール注出器セットが実現できる。
【００１０】
請求項２に記載のビール注出器セットによれば、注出管が収容容器に着脱可能となっているので、離脱させることにより簡単に洗浄することができる。
【００１１】
請求項３に記載のビール注出器セットによれば、第１の使用態様で、制御部が第１の動作モードを取ることでビールグラス等にビールが注がれ、その後、制御部が第２の動作モードを取ることで注いだビールの上に泡が注がれることになる。また、第２の使用態様でビール缶を傾けることで、ビールグラス等にビールが注がれ、その後、制御部が第２の動作モードを取ることで注いだビールの上に泡が注がれることになる。
【００１２】
請求項４に記載のビール注出器セットによれば、第２の使用態様で制御部が第２の動作モードを取った際に加圧空気が通気孔を通り第２の注ぎ口から逃げることになる。
【図面の簡単な説明】
【００１３】
【図１】本考案に係るビール注出器セットの一実施形態の使用例を示した斜視図である。
【図２】図１のビール注出器セットの他の使用例を示した斜視図である。
【図３】図１のビール注出器セットの容器下部を示した斜視図である。
【図４】図１のビール注出器セットの容器上部を示した斜視図である。
【図５】図１のビール注出器セットのメカボックスを上面側から示した斜視図である。
【図６】図１のビール注出器セットのメカボックスを下面側から示した斜視図である。
【図７】図１のビール注出器セットのメカボックスの内部構造を示した斜視図である。
【図８】図１のビール注出器セットのメカボックスの内部構造の一部を示した斜視図である。
【図９】図１のビール注出器セットの制御構成を示したブロック図である。
【図１０】図１のビール注出器セットのアダプタを上面側から示した斜視図である。
【図１１】図１のビール注出器セットのアダプタを下面側から示した斜視図である。
【考案を実施するための形態】
【００１４】
以下、本考案に係るビール注出器セットを図面に示した実施形態に基づいて説明する。なお、前後、左右及び上下は図１に示す方向を言うものとする。
【００１５】
（全体構成）
図１に示すビール注出器セット１は、大別して、収容容器１０と、メカボックス４０と、アダプタ７０とを備えている。このビール注出器セット１は２通りの使用ができる。
１つ目は、図１に示すように、収容容器１０とメカボックス４０とを使用し、アダプタ７０を使用しない態様である。これは、ビール注出器セット１を据え置き型のビール注出器として使用する態様である。
先ず、メカボックス４０を収容容器１０から取り外した状態で、収容容器１０内に、ビール入りのビール缶２を口を開けた状態でセットした後、収容容器１０の上にメカボックス４０を取り付ける。次に、注ぎ口１１の下方にビールグラス３をセットし、メカボックス４０の操作子４１を前方に傾倒させると、注ぎ口１１からビールが出てビールグラス３に注がれる。そして、ビールグラス３に所望量のビールが注がれたなら、今度は操作子４１を後方に傾倒させる。すると、注ぎ口１１からはビールの泡が出てビールグラス３内のビールの上に付加される。
２つ目は、図２に示すように、メカボックス４０とアダプタ７０とを使用し、収容容器１０を使用しない態様である。これは、ビール注出器セット１を手持ち型のビール注出器として使用する態様である。
先ず、メカボックス４０の下にアダプタ７０を取り付けるとともに、アダプタ７０を口を開けた状態のビール缶２に冠着させる。次に、ビール缶２を握って全体を傾倒させる。これにより、注ぎ口９０からビールが出てビールグラス３に注がれる。そして、ビールグラス３に所望量のビールが注がれたなら、そのままの状態で、操作子４１ａを後方に傾倒させる。すると、注ぎ口１１からはビールの泡が出てビールグラス３内のビールの上に付加される。
【００１６】
（細部構成）
１．収容容器１０について
この収容容器１０は、図３に示す容器下部１２と、図４に示す容器上部１３とから構成されている。
容器下部１２は、底板付き円筒状の缶ホルダ１４と、缶ホルダ１４と一体に形成され上面視で舌状のグラス受け１５とを備えている。缶ホルダ１４は、ビール缶２の下端部が上方から差し込まれる部分で、差し込まれたビール缶２の下端部を被覆する。グラス受け１５は、ビールグラス３を載置するためのものである。
容器上部１３は、天板付き円筒状のカバー１７を備えている。カバー１７内の天板１８より下の部分は下端に開口する空洞となっている。カバー１７の円筒部分は天板１８の上まで延伸され、天板１８の上には当該天板１８を底壁としその円筒部分の延伸部１７ａを周壁とする凹部が形成されている。天板１８には当該天板１８の上下を連通する２つの孔１９，２０が形成されている。このうち孔１９が形成された部分は第１の通気口を形成している。また、延伸部１７ａの外側には注ぎ口１１が形成されている。この注ぎ口１１は延伸部１７ａの内外を連通している。
【００１７】
２．容器下部１２と容器上部１３との連結構造について
缶ホルダ１４とカバー１７とは上下方向から嵌合可能に構成されている。
缶ホルダ１４の上部外周には中心軸を挟んで対峙する２箇所に突起１４ａ（図３参照）が形成されている。一方、カバー１７の下部内周には鉤状の凹部１７ｂ（図４参照）が形成されている。そして、缶ホルダ１４の突起１４ａとカバー１７の凹部１７ｂの入口部分を合致させた状態で、カバー１７と缶ホルダ１４とを上下方向から突き合わせて所定方向に回転させることで、缶ホルダ１４にカバー１７が取り付けられる。また、逆の手順を踏むことにより、缶ホルダ１４からカバー１７を取り外すことができる。
【００１８】
３．注出管３０について
注出管３０は可撓性を有している。注出管３０は、カバー１７の天板１８よりも上に位置する部分が略水平に延在し一端が注ぎ口１１内に挿入されている。また、この注出管３０は途中で下方に向けて屈曲され、下方に屈曲された部分が孔２０に挿通され、他端が収容容器１０内の底板近くまで延びている。この注出管３０の他端側はビール缶２内に挿入される部分である。この注出管３０はカバー１７の上方から着脱することができる。すなわち、注出管３０の一端を注ぎ口１１から抜き出した状態で、上方に引っ張ることにより、注出管３０をカバー１７から離脱させることができる。この離脱によって注出管３０を単体として扱うことができ、簡単に洗浄することができる。
【００１９】
４．メカボックス４０について
図５及び図６に示すように、メカボックス４０は、円板状の底板４２と環状天板付きの円筒状カバー４３とを備えている。円筒状カバー４３の環状天板４３ａには、前後方向に長尺の長孔４４ａが形成された円板状天板４４が取り付けられている。
図７に示すように、メカボックス４０内には、空気加圧装置としてのモータポンプ４５と、発泡手段としての超音波発生装置４６とが設けられている。この超音波発生装置４６は超音波振動子及び超音波ホーンを備え、接触面を構成する超音波ホーン４６ａは図６に示すように底板４２から下方に突出している。この超音波ホーン４６ａはスプリング等によって下方に向けて付勢されていることが好ましい。また、底板４２には電池収納部が形成され、底板４２の下面の蓋４７を開くことによって電池の出し入れが可能に構成されている。この電池としては、特に制限はされないが、単４電池２本が横置き状態で収納されている。
【００２０】
モータポンプ４５の吸込口及び吐出口はメカボックス４０内に開口し、吸込口から吸い込まれた空気はモータポンプ４５で圧縮され吐出口から吐出される。
また、底板４２には空気導入管（図示せず）が設けられている。この空気導入管は通気口９２に連結されている。そして、モータポンプ４５で圧縮され吐出された空気は通気口（第２の通気口）９２及び孔（第１の通気口）１９を経て収容容器１０内に導入される。なお、この場合の空気導入管はモータポンプ４５の吐出口に連結されていてもよい。
【００２１】
５．容器上部１３とメカボックス４０との連結構造について
図５及び図６に示すように、メカボックス４０の前側下端部には逆Ｕ字状の係合部４８が形成されている。この係合部４８は水平部４８ａとこの水平部４８ａの両端から垂下する一対の係止爪４８ｂ，４８ｂとを備えている。一対の係止爪４８ｂ，４８ｂ間の隙間幅は注出管３０の直径よりも大きく設定されている。そして、カバー１７にメカボックス４０を取り付けるにあたっては、メカボックス４０を前傾させ、一対の係止爪４８ｂ，４８ｂがカバー１３の天板１８の上の注出管３０を跨ぐようにして、係合部４８を注ぎ口１１裏の凹部１１ａ（図４参照）に押し込む。これによって、上記係止爪４８ｂ，４８ｂは注ぎ口１１の裏に形成された爪１１ｂ，１１ｂの下側に潜り込む。この状態で、今度は、メカボックス４０の後側をカバー１３に上方に当接させる。すると、メカボックス４０の下面に形成された可動爪４９（図６参照）がカバー１３の爪２２（図４参照）に係止され、メカボックス４０がカバー１７に固定される。なお、可動爪４９は半径方向外方にスプリング（図示せず）によって付勢されている。この可動爪４９による固定を解除するには、メカボックス４０の後側に突出形成されたボタン（図示せず）を押す。すると、ボタンに連結された可動爪４９が半径方向内方に動作して可動爪４９による固定が解除される。
【００２２】
６．操作子４１について
メカボックス４０には上方に突出するスティック状の操作子４１が設けられている。図７に示すように、この操作子４１には天板付き円筒状のキャップ４１ｂが着脱可能となっており、キャップ４１ｂを離脱させることにより、短い操作子４１ａとすることができる。この操作子４１の基端側は長孔４４ａを経てメカボックス４０内に延びており、固定部材５０に支持され左右方向に延在する軸５１に支持され、前後方向に傾倒可能に構成されている。この操作子４１の膨出部４１０は前後一対のスプリング５２によって前後方向の中立位置に保持されている。図８に示すように、この操作子４１の下端部は固定部材５０の下方まで延び、固定部材５０下方に設けられ前後方向に移動可能な板材５３に係合している。この板材５３は操作子４１が前後方向に傾倒したときにその傾倒方向とは逆の方向に動作する。
この板材５３の前後にはスイッチ５４，５５が設けられている。そして、板材５３が後方に動作した際にスイッチ５４がＯＮされ、板材５３が前方に動作した際にスイッチ５５がＯＮされる。
【００２３】
７．制御構成について
図９は制御構成を示している。メカボックス４０は制御部５６を備えている。この制御部５６は、ドライバ５７を介してモータポンプ４５の作動を制御するとともに、ドライバ５８を介して超音波発生装置４６の作動を制御する。具体的には、制御部５６は、スイッチ５４がＯＮしたときにモータポンプ４５を作動させ、スイッチ５５がＯＮしたときにモータポンプ４５及び超音波発生装置４６の双方を作動させる。
【００２４】
８．アダプタ７０について
図１０（上面側斜視図）及び図１１（下面側斜視図）に示すようにアダプタ７０は円筒状に形成され、仕切り壁７１によって仕切られた凹部７２，７３が上下に形成されている。仕切り壁７１は上面の形状と下面の形状とが相補的となっている。すなわち、仕切り壁７１の上面が凸となっているときには仕切り壁７１の下面が凹、反対に、仕切り壁７１の上面が凹となっているときには仕切り壁７１の下面が凸となっている。
【００２５】
図１１に示すように、アダプタ７０の下面の内周には円周方向に沿って突起７４が複数形成されている。この突起７４は左右対称位置に形成されている。この突起７４の下面は中心線上方に向けて傾斜している。また、この突起７４と仕切り壁７１の下面との間には隙間が形成され、この隙間部分には、円環状のパッキン７５の外周部が挟み込まれている。パッキン７５は、アダプタ７０をビール缶２に冠着させた際にビール缶２の上縁に当接し液漏れを防止する。
【００２６】
９．アダプタ７０とビール缶２との連結構造について
アダプタ７０の下面の内周には前側左右対称位置に固定爪７６が形成されている。固定爪７６と仕切り壁７１の下面との間には隙間が形成されている。この固定爪７６の下面は中心線上方に向けて傾斜している。この固定爪７６の上面は水平となっており、固定爪７６はビール缶２の上縁直下の環状凹部２ａに係合可能となっている。
さらに、アダプタ７０の下面の内周には後側位置に可動爪７７が設けられている。この可動爪７７はアダプタ７０の半径方向に動作可能に構成され、スプリング（図示せず）によって半径方向内方に付勢されている。この可動爪７７の下面は中心線上方に向けて傾斜している。そして、ビール缶２を傾け、固定爪７６をビール缶２の環状凹部２ａに嵌合させた状態で、ビール缶２を可動爪７７の下面に強く押し付けることによって、可動爪７７がスプリングの付勢力に抗して半径方向外方に動作し、可動爪７７の先端がビール缶２の環状凹部２ａに至った所で、可動爪７７がビール缶２の環状凹部２ａに嵌合する。これによって、ビール缶２がアダプタ７０に固定される。この固定を解除するには、可動爪７７に係合するレバー７８を動作させる。すると、レバー７８に連結された可動爪７７が半径方向外方に動作して可動爪７７による固定が解除される。
【００２７】
１０．アダプタ７０とメカボックス４０との連結構造について
図１０に示すように、アダプタ７０の上縁には、上記可動爪４９に係合可能な固定爪８１が形成されている。
そして、アダプタ７０はメカボックス４０に次のようにして連結される。
注ぎ口９０の前方からメカボックス４０の係合部４８を嵌合させた後、アダプタ７０とメカボックス４０とを上下方向から当接させる。すると、メカボックス４０の下面に形成された可動爪４９（図６参照）がアダプタ７０の固定爪８１に係止され、アダプタ７０がメカボックス４０に固定される。この可動爪４９による固定を解除するには、メカボックス４０の後側に突出形成されたボタン（図示せず）を押す。すると、ボタンに連結された可動爪４９が半径方向内方に動作して可動爪４９による固定が解除される。
【００２８】
１１．アダプタ７０のその他の構造
アダプタ７０の下面には下面視で楕円形の凹部７９が形成されている。この凹部７９は注ぎ口９０に連通している。
また、図１０に示すように、アダプタ７０の仕切り壁７１の上面には注ぎ口９０に連通する注出路を画成する壁８０が突出して形成されている。壁８０には超音波ホーン４６ａが当接する被接触部８０ａが形成されている。
また、図１１に示すように、アダプタ７０の仕切り壁７１には仕切り壁７１の上下を連通する通気孔８２が形成されている。これにより、アダプタ７０をメカボックス４０に装着した際に加圧空気が適宜通気孔を通り注ぎ口９０から逃げる。
【００２９】
《考案の変形例》
以上、本考案の実施形態について説明したが、本考案は、かかる実施形態に限定されず、その要旨を逸脱しない範囲で、種々の変形が可能であることは言うまでもない。
【符号の説明】
【００３０】
１     ビール注出器セット
２     ビール缶
１１   注ぎ口
１２   容器下部
１３   容器上部
１３   カバー
３０   注出管
４０   メカボックス
４１   操作子
４１ａ 操作子
４２   底板
４５   モータポンプ
４６   超音波発生装置
４６ａ 超音波ホーン
４８   係合部
４９   可動爪
５０   固定部材
５６   制御部
７０   アダプタ
７６   固定爪
８０   壁
８０ａ 被接触部
８１   固定爪
８２   通気孔
９０    注ぎ口
９２    通気口
【図１】
0003202746.tif 000003
【図２】
0003202746.tif 000004
【図３】
0003202746.tif 000005
【図４】
0003202746.tif 000006
【図５】
0003202746.tif 000007
【図６】
0003202746.tif 000008
【図７】
0003202746.tif 000009
【図８】
0003202746.tif 000010
【図９】
0003202746.tif 000011
【図１０】
0003202746.tif 000012
【図１１】
0003202746.tif 000013